(57)【要約】      （修正有）【課題】回転刃との間に草が挟まりにくく、回転刃の全周領域に亘って芝刈りを行うことができ、取付けや取り外し、交換等の煩雑さを伴わない刈払い機用刈刃ガード及び刈払い機を提供する。【解決手段】回転刃１１の上又は下面に沿って配設された、回転刃１１よりも大きな最外径のガード板２と、このガード板２を刈り払い機の駆動機構１２に固定する回転接触盤３とを具備してなる。回転接触盤３は、回転刃１１に対して、回転刃１１と逆の方向へ相対回転しうる相対逆回転機構３０を有する。回転接触盤３又はガード板２又はその付属物が外部に接触することで、駆動機構１２に対してガード板２が逆方向へ相対回転し、ガード板２が静止状態、或いは少なくとも緩速回転状態となりうる。【選択図】図２
0003136543.tif 000002
【実用新案登録請求の範囲】
【請求項１】
刈払い用の回転刃の駆動機構を備えた刈払い機に取り付けられる刈払い機用刈刃ガードであって、回転刃の上又は下面に沿って配設された、回転刃よりも大きな最外径のガード板と、このガード板を刈払い機の駆動機構に固定する回転接触盤とを具備してなり、前記回転接触盤が、回転刃に対して、回転刃と逆の方向へ相対回転しうる相対逆回転機構を有し、回転接触盤またはガード板又はその付属物が外部に接触することで、駆動機構に対してガード板が逆方向へ相対回転し、ガード板が静止状態となりうることを特徴とする刈払い機用刈刃ガード。
【請求項２】
刈払い機の駆動機構が、回転刃に固定されて高速回転する中央シャフトを有し、
回転接触盤が、中央シャフトを挿通固定する中央固定キャップと、前記中央固定キャップを中央シャフト軸周りに軸承する相対逆回転機構と、前記中央固定キャップの周囲にてガード板を固定する接触盤固定具とを有してなり、
回転接触盤に固定されたガード板が、中央シャフトに対して自由回転しうる請求項１記載の刈払い機用刈刃ガード。
【請求項３】
相対逆回転機構が、中央固定キャップの周囲に沿って設けられた複数のボールベアリング又は遊星ギヤを具備し、
中央固定キャップが、回転接触盤内に中央シャフト軸周りに自由回動可能に収容されてなる請求項２記載の刈払い機用刈刃ガード。
【請求項４】
ガード板の回転刃への対向面に、板面から突出した突起部が設けられ、この突起部が回転刃とガード板の間に干渉することで、回転刃とガード板の接触を回避しうる請求項１，２または３のいずれか記載の刈払い機用刈刃ガード。
【請求項５】
ガード板の回転刃への対向面とは逆の相対面に、板面から突出した下方突起部が設けられ、この下方突起部が外部と接触することによって、ガード板が静止状態となりうる請求項１，２，３または４のいずれか記載の刈払い機用刈刃ガード。
【請求項６】
突起部が、ガード板を貫通して両板面から突出した両面突起構造からなる請求項４または５記載の刈払い機用刈刃ガード。
【請求項７】
ガード板が回転刃の下方に対向配設され、回転接触盤或いは中央固定キャップが、ガード板から下方へ所定距離だけ離れた接地頂部を有し、接地頂部が接地することで、所定以上の刈り高さを確保しうる請求項１乃至６のいずれか記載の刈払い機用刈刃ガード。
【請求項８】
ガード板が、回転刃との間に挟まった草を放出するためのガード板開口部を具備する請求項１乃至７のいずれか記載の請求項刈払い機用刈刃ガード。
【請求項９】
把持棒と、把持棒の先端に設けた駆動機構と、駆動機構の先端にて回転しうる回転刃と、この回転刃の刃面に沿って、駆動機構部にのみ取り付けられた請求項１乃至８のいずれか記載の刈払い機用刈刃ガードとを具備することを特徴とする刈払い機。
【考案の詳細な説明】
【技術分野】
【０００１】
本考案は、芝生を刈り払う刈払い機に取り付けられ、刈払い機の回転刃による不要な切断をガードする刈払い機用刈刃ガード、及びこれを備えた芝生の刈払い機に関するものである。
【背景技術】
【０００２】
例えば、庭園において植木と芝生を配置する場合があるが、この場合のように芝生と芝生以外のものとが入り組んだ状態において、成長に応じて芝生を刈る必要がある。
【０００３】
前記状態において、比較的広い平坦な領域の芝は、複数刃を有する大型の芝刈機を使って刈ることができるが、植木周辺などの入り組んだ領域や斜面では大型の芝刈機が入り込めない。そこで前記領域では、比較的小型の刈払い機を使用して刈る必要がある。
【０００４】
このような刈払い機は、基本的に、伸張した把持棒の先へ、傾斜軸周りに高速回転する一枚の高速回転刃が取り付けられてなる。そして、把持棒を斜め下に向けて回転刃を水平にしたまま芝を刈り払うものである。芝の回収機構やタイヤ等を備えない比較的単純な構造からなり、比較的軽量で、回転刃のとりまわしが比較的容易なことから、植木周辺の細部まで細かく刈ることができるものである。
【０００５】
しかしながら、一枚刃の刈払い機は、回転刃が露出しながら高速回転する。このため、地面より露出した根が成長した芝生に隠されているために、芝生の根を傷つけてしまうことや、或いは操作ミスにより植木の茎を傷つけてしまうことがある。このように誤って芝生の草部分以外の被切削物を傷つけてしまうと、ひどい場合は植木を枯らせてしまう。
【０００６】
このような芝生の草部分以外の被切削物の不要な裂傷を防ぐために、従来、刈払い機の回転刃の上もしくは下に設け、回転刃と被切削物との接触を防止するための刈払い機用刈刃ガードが存在した（例えば、非特許文献１参照）。これは、回転刃よりも大きい円板の周囲を均等な櫛状にしたものである。櫛部は、回転刃よりも大きい円盤の周囲を、複数の小さいＵ字状にカットすることで形成され、回転刃よりも周囲に突出してなるため、例えばバリカンの梳き歯のように、回転刃が被切削物に直接触れないようにガードするものとなっている。この円板は、櫛状にした円周の一方から板状のアームを延伸固定し、アームの先端をパイプクランプに繋ぎ、刈払機の把持パイプにこのパイプクランプを挟持させることで取り付ける（非特許文献１の取り付け方法図参照）。
【非特許文献１】株式会社小林鉄工所、“刈払機用安全保護カバー  あんぜんカバー君”、（ｏｎｌｉｎｅ）、平成１７年、（平成１８年４月１８日検索）、インターネットＵＲＬ＜ＨＴＴＰ：／／ｗｗｗ．ｋｏｂａｙａｓｈｉ−ｔｅｋｋｏｓｈｏ．ｃｏ．ｊｐ／ｎｅｗ／ａｎｚｅｎ1．ｊｐｇ＞
【考案の開示】
【考案が解決しようとする課題】
【０００７】
しかしながら、上記従来の刈払い機用刈刃ガードは、円板周囲の櫛ピッチ内に収まった芝草を、回転刃の周囲の刃部と櫛部とで挟むように切断するものであり、また、円板は高速回転する回転刃に近接して固定されるものである。このため、回転刃と円板の間に草が挟まってしまい易いものであった。
【０００８】
また、円板を固定するためのアームが円板周囲から突出して、把持パイプ側に繋がっているため、アームによって邪魔された部分の芝刈りを行うことができないものであった。回転刃の周囲のうち芝刈りを行えない周領域があると、刈払い作業をスムーズに行うことができない場合がある。
【０００９】
さらに、上記従来の刈払い機用刈刃ガードは、円板中央で刈払い機の回転軸への取り付けとともに前記パイプクランプを介した把持パイプへの取り付けという、２箇所の取り付け作業が必要であり、取付けや取り外し、また交換等の作業が煩雑である。
【００１０】
そこで本考案においては、回転刃との間に草が挟まりにくく、また、回転刃の全周領域に亘って芝刈りを行うことができ、さらに、取付けや取り外し、また交換等の煩雑さを伴わない刈払い機用刈刃ガード及び刈払い機を提供することを課題とする。
【課題を解決するための手段】
【００１１】
本考案は上記課題を解決すべく、下記手段を講じている。
先ず、（１）本考案の刈払い機用刈刃ガードは、先端の刈払い用の回転刃１１を回転させる駆動機構１２を備えた刈払い機に取り付けられる刈払い機用刈刃ガードであって、
回転刃１１の上又は下面に沿って配設された、回転刃１１よりも大きな最外径のガード板２と、
このガード板２を刈払い機の駆動機構１２に固定する回転接触盤３とを具備してなり、
前記回転接触盤３が、回転刃１１に対して、回転刃１１と逆の方向へ相対回転しうる相対逆回転機構３０を有し、
回転接触盤３またはガード板２又はその付属物が外部に接触することで、駆動機構１２に対してガード板２が逆方向へ相対回転し、ガード板２が静止状態、或いは少なくとも緩速回転状態となりうることを特徴とする。
【００１２】
（２）また、上記刈払い機用刈刃ガードにおいて、
刈払い機の駆動機構１２が、回転刃１１に固定されて高速回転する中央シャフト１３を有し、
回転接触盤３が、中央シャフト１３を挿通固定する中央固定キャップ３Ｃと、前記中央固定キャップ３Ｃを中央シャフト１３軸周りに軸承する相対逆回転機構３０と、前記中央固定キャップ３Ｃの周囲にてガード板２を固定する接触盤固定具３１とを有してなり、
接触盤固定具３１によって回転接触盤３に固定されたガード板２が、相対逆回転機構３０の軸承によって、中央シャフト１３に対して自由回転しうることが好ましい。
【００１３】
（３）また、上記（２）の刈払い機用刈刃ガードにおいて、
相対逆回転機構３０が、中央固定キャップ３Ｃの周囲に沿って設けられた複数のボールベアリング３０Ｂ又は遊星ギヤ３０２Ｇを具備し、
中央固定キャップ３Ｃが、回転接触盤３内に中央シャフト１３軸周りに自由回動可能に収容されてなることが好ましい。
【００１４】
（４）また、上記いずれかの刈払い機用刈刃ガードにおいて、
ガード板２の回転刃１１への対向面に、板面から突出した一又は複数の突起部４が設けられ、この突起部４が回転刃１１とガード板２の間に干渉することで、回転刃１１とガード板２の接触を回避しうることが好ましい。
【００１５】
（５）また、上記いずれかの刈払い機用刈刃ガードにおいて、
ガード板２の回転刃１１への対向面とは逆の相対面に、板面から突出した一又は複数の下方突起部４２が設けられ、この下方突起部４２が外部と接触することによって、ガード板２が静止状態となりうることが好ましい。
【００１６】
（６）また、上記（４）または（５）の刈払い機用刈刃ガードにおいて、
突起部４が、ガード板２を貫通して両板面から突出した両面突起構造からなることが好ましい。
【００１７】
（７）また、上記いずれかの刈払い機用刈刃ガードにおいて、
ガード板２が回転刃１１の下方に対向配設され、
回転接触盤３或いは中央固定キャップ３Ｃが、ガード板２から下方へ所定距離だけ離れた接地頂部を有し、
接地頂部が接地することで、所定以上の刈り高さを確保しうることが好ましい。
【００１８】
（８）また、上記いずれかの刈払い機用刈刃ガードにおいて、
ガード板２が、回転刃１１との間に挟まった草を放出するためのガード板２開口部を具備することが好ましい。
【００１９】
（９）また、本発明の刈払い機としては、把持棒と、把持棒の先端に設けた駆動機構１２と、駆動機構１２の先端にて回転しうる回転刃１１と、この回転刃１１の刃面に沿って、駆動機構１２部にのみ取り付けられた上記いずれかの刈払い機用刈刃ガードとを具備する。
【００２０】
特に回転刃１１は、刃面に多数の刃面孔を有することで、軽量化が計られると共に、ガード板２との間に芝草を挟んだりからめたりしない芝草開放機能を備えることができる。
【考案の効果】
【００２１】
上記手段を採用することにより、回転刃１１との間に草が挟まりにくく、また、回転刃１１の全周領域に亘って芝刈りを行うことができ、さらに、取付けや取り外し、また交換等の煩雑さを伴わない刈払い機用刈刃ガード及び刈払い機を提供することができる。
【考案を実施するための最良の形態】
【００２２】
本考案の実施形態について、本考案の実施例として示す各図と共に説明する。図１ないし図６は実施例１の刈払い機及び刈払い機用刈刃ガードを示し、図７及び図８は実施例２の刈払い機及び刈払い機用刈刃ガードを示す。
【００２３】
いずれの実施例においても、本考案の刈払い機用刈刃ガードは、基本的に、先端の刈払い用の回転刃１１のを回転させる駆動機構１２を備えた刈払い機に取り付けられるものである。そして、
・回転刃１１の上又は下面に沿って配設された、回転刃１１の刃当りをガードするガード板２と、
・このガード板２を刈払い機の駆動機構１２の中央シャフト１３に固定する回転接触盤３とを具備する。
これらガード板２と回転接触盤３とその付属物とが、一体の相対逆回転体として、取り付けられた刈払い機の回転刃１１の上面側又は下面側の少なくともいずれか（両実施例では下面側）に沿って回転可能に取り付けられる。
【００２４】
（回転接触盤３）
回転接触盤３は、回転刃１１に対して、回転刃１１と逆の方向へ相対回転しうる相対逆回転機構３０を有する。
【００２５】
回転接触盤３またはガード板２又はその付属物である突起部４や接触盤固定具３１が外部に接触することで、駆動機構１２に対してガード板２が逆方向へ相対回転し、ガード板２が静止状態となりうる。或いは完全に静止しないものの回転速度とは明らかに異なる緩速回転状態となりうる。
【００２６】
（ガード板２）
ガード板２は、回転刃１１よりも大きい最大径の円盤からなる。
【００２７】
ガード板２は、回転接触盤３の接触盤固定具３１によって、刈払い機の駆動機構１２の中央シャフト１３に固定される。
【００２８】
さらに、ガード板２は、周囲の一部に設けた櫛部２１と、板面内に設けた刈草を排出する排出孔となるガード板開口部２２とを具備する。
【００２９】
ガード板開口部２２は、櫛ピッチ２１ｐ幅及び櫛長さ２１ｌを含む所定大以上の大きさのものが４つ、中央シャフト１３軸対称に設けられる。ガード板開口部２２によって、芝草を容易に排出できるようにし、回転刃１１との間に刈り草が絡んだり挟まったりすることのないものとしている。以下、各実施例における構成を詳述する。
【実施例１】
【００３０】
本考案の刈払い機用刈刃ガードを取り付けた実施例１の刈払い機に関し、図１に、斜め下方からの斜視部分説明図を、図２に、その先端部分の断面構造の側面視一部破断説明図を、図３に、その斜め下方からの斜視分解説明図を示す。また図４、図５にそれぞれ、本考案の実施例１の刈払い機用刈刃ガードの平面図、底面図を示し、図６に図４の側面視Ａ−Ａ断面図を示す。
【００３１】
（刈払い機）
本考案の刈払い機用刈刃ガードが取り付けられる取り付け対象の刈払い機は、少なくとも把持棒１０と、把持棒１０の先端へ回転可能に設けた回転刃１１とを具備する。
【００３２】
実施例１の刈払い機は、把持棒１０と、把持棒１０の先端へ回転可能に設けた略円形の回転刃１１と、前記回転刃１１を回転させる駆動機構１２と、回転刃１１の使用者への接触を防ぐべく把持棒１０の先端付近と交わるように設けた安全カバー１３とを具備してなり、芝の回収機構やタイヤ等の自走機構を備えない。
【００３３】
刈払い機には、刈払い機用刈刃ガードが回転刃１１の円形面と重なるようにして取り付けられる。刈払い機用刈刃ガードを刈払い機に取り付けた状態で、把持棒１０の下方の回転刃１１が略水平方向を向くように芝面に対向させたとき、前記切欠部２２は、把持棒１０の近傍であって左側に偏った左手前寄りの位置に設けられる。刈払い機用刈刃ガードを取り付けた状態で、切欠部２２は、回転刃１１を固定する把持棒１０寄りの位置、つまり使用者にとって手前側の位置にある。
【００３４】
（把持棒１０）
把持棒１０は操作用の把持部を有して伸張する棒体であり、下端に駆動機構１２の中央シャフト１３が傾斜して取り付けられ、この中央シャフト１３に回転刃１１を固定してこの下端が使用者よりも前方に位置するように把持棒１０を傾斜させて使用する。
【００３５】
（回転刃１１）
回転刃１１は略円形でありその外周に亘って刃部１１Ｂが設けられる。パッキン１２Ｐ及びカップリング１２Ｃを介して、刈払い機用刈刃ガードと共に、把持棒１０の先端へ回転可能に取り付けられる。
【００３６】
（駆動機構１２）
駆動機構１２は、回転刃１１を高速回転させる機構であり、把握棒１０の先端にて把持棒１０の伸張方向に対して３０度程度傾斜した中央シャフト１３と、これに連通するカップリング１２Ｃ及びパッキン１２Ｐとを具備する。これらは回転刃１１を挟持固定し、図示しない回転動力によって高速回転する。
中央シャフト１３は、回転刃１１に固定されて高速回転する。
中央シャフト１３の把持棒に対する固定傾斜角度は３０度程度である。
【００３７】
（ガード板２）
ガード板２は、刈払い機の把持棒１０の先端にある回転刃１１の刃面に沿って固定される。ガード板２は、刈払い機の先端にある回転刃１１の下面に沿って、回転刃１１と重なるようにして回転刃１１と平行に取り付けられる。つまり取り付けられた状態のガード板２面は回転刃１１の下側の刃面と正面で対向する。ガード板２が刃面と略平行に固定されることで、回転刃１１の下方をガードする。取り付けられた状態では、回転刃１１の中央シャフト１３とガード板２の中心とが共通する。
【００３８】
このガード板２には、ガード板２の外周に亘って、櫛溝２１Ｕが等間隔に設けられ、この櫛溝２１Ｕによって、所定の櫛ピッチ２１ｐの櫛部２１が設けられる。またガード板２は、櫛部２１を具備した状態で回転刃１１よりも大きな最外径（櫛部２１の先端同士の最遠距離の径）となる。
【００３９】
ガード板２はまた、周囲全体に亘って櫛部２１を備える。これにより、ガード板２の最外形は櫛部２１の先端同士の最遠距離となるが、このガード板２の最外形は、回転刃１１よりも大きく、これによりガード板２の最外周よりも外へ回転刃１１の刃部１１Ｂが突出しないようになっている。
【００４０】
円盤の外径は、２００ないし３００ｍｍ程度、例えば２３０ｍｍや２５０ｍｍであることが好ましく、ガード板２の厚さは、２．０ｍｍ以下、例えば１．６ｍｍ程度であることが好ましい。
【００４１】
（櫛部２１）
櫛部２１は、ガード板２の中心から外周へ向く方向へ放射状に設けられる。櫛部２１が設けられる範囲は、ガード板２外周のうち、切欠部２２の所定範囲を除く残りの範囲である。実施例では、円形外形のガード板２の周囲に、ガード板２の径を小さくするようにして複数の半円弧状カットを等間隔をあけて均等に施すことで、ガード板２の円形の外周の一部と、その左右の円弧曲線とからなる三方曲線で囲われた櫛が、ガード板２周囲へ連続的に形成される。
【００４２】
櫛ピッチ２１ｐは、被切削部の断面の最大幅よりも小さい必要がある。また、櫛は、刃物よりも出ている必要がある。
【００４３】
この半円弧状のカット深さは例えば２．５ｍｍ程度、すなわち半円弧の半径が２．５ｍｍ程度であり、回転刃１１の刃部１１Ｂの径方向長さよりもわずかに小さい。
【００４４】
（ガード板開口部２２）
ガード板開口部２２は、ガード板２内部に設けられた刈草を排出する孔であり、複数個（実施例では４つ）が、ガード板２中心を対称として設けられる。少なくとも櫛ピッチ２１ｐ幅及び櫛長さ２１ｌを含む大きさであれば、開口形状は、円形、長円形、楕円形、方形等、任意の形状とすることができる。実施例では扇形から中心角側を同一中心の円弧曲線によって除いた、部分扇形状からなる。この開口形状に関し、回転中の回転刃１１から出てくる刈草を排出すべく、実施例のように外周側及び中心側を円弧曲線で囲まれることが好ましい。
【００４５】
開口形状を部分扇形とする場合、扇部分の部分円弧の中心角は、より大きな孔によって刈草を効率的に排出すべく、中心角は３５度ないし４０度以上、さらには４５度以上、またさらには９０度程度であることが好ましい。ただし中心角１２０度程度以下のものを複数個設けることで、ガード機能を発揮するだけのガード板２の強度を確保することが好ましい。実施例では略９０度である。
【００４６】
なお、前記ガード板開口部２２と併せて、ガード板２がある程度の曲げ弾性機能を有するものとし、かつガード板２と回転刃１１との間に弾性部材を挟設することで、回転刃１１との間に刈り草が詰まったときに、円盤と回転刃１１の間が円盤の曲げ方向の弾性変形によって広がるものとしてもよい（図示せず）。このとき、弾性部材は、例えば中央シャフト１３と同軸の円筒状の発泡材を使用することが好ましい（いずれも図示せず）。
【００４７】
或いは、前記ガード板開口部２２と併せて、回転刃１１に切起し部を設け、回転刃１１の回転によって切起し部がフィンの役割を果たすことでガード板開口部２２の外へ刈り草を排出するものとしても良い。このとき、切起し部はガード板開口部２２の図心を中心として弯曲して伸びる弯曲突条からなることが好ましい（いずれも図示せず）。
【００４８】
（回転接触盤３）
回転接触盤３は、中央シャフト１３を挿通固定する中央固定キャップ３Ｃと、
前記中央固定キャップ３Ｃを中央シャフト１３軸周りに軸承する相対逆回転機構３０と、
前記中央固定キャップ３Ｃの周囲にてガード板２を固定する接触盤固定具３１とを有してなる。
【００４９】
接触盤固定具３１によって回転接触盤３に固定されたガード板２は、相対逆回転機構３０の軸承によって、中央シャフト１３に対して自由回転しうる。
【００５０】
回転接触盤３は中央部固定手段として、ガード板２の中央に設けた中央固定孔２３ｈと、中央固定孔２３ｈにて、刈払い機の把持棒１０とガード板２とを連結する中央固定キャップ３Ｃと、締結する中央固定ナット３Ｎとを具備する。
【００５１】
中央固定孔２３ｈは、ガード板２の中央の大孔である。ガード板２は、中央固定孔２３ｈの周囲に４つ等間隔に設けた小孔の接触盤固定孔２３１ｈ２３１ｈを有する。中央固定孔２３ｈは、円形のパッキン１２Ｐ、カップリング１２Ｃ及び回転刃１１を介して把持棒１０の先端の中央シャフト１３に挿通され、さらにその上側を、中央スペーサー１３Ｓ及び中央固定キャップ３Ｃで挟み込んだ中央固定ナット３Ｎによって挟圧固定される。
【００５２】
中央スペーサー１３Ｓは、回転刃１１とガード板２の距離を所定範囲に保つためのスペーサーである。
【００５３】
中央固定キャップ３Ｃは、その周囲に駆動機構１２たるベアリング３０Ｂ（ボールベアリング３０Ｂ）を等間隔に３つ有する。（ベアリング３０Ｂの数は２つ或いは４つでもよい。）このベアリング３０Ｂを介して、中央固定キャップ３Ｃが回転接触盤３内に収容され、収容された中央固定キャップ３Ｃが中央シャフト１３軸周りに自由回転可能となる。
【００５４】
そして、回転接触盤３の周囲の部分が、接触盤固定具３１によってガード板２に固定され、ガード板２と一体固定された外周部が自由回転可能となる。これにより、ガード板２及び回転接触盤３が一体の相対逆回転体としてなり、この相対逆回転体が、中央シャフト１３に対して左右両方向へ自由回転可能に固定される。
【００５５】
回転接触盤３は、中央に、中央固定キャップ３Ｃを収容するためのキャップ収容穴が設けられ、さらにこのキャップ収容穴内は、中央シャフト１３が挿通しうる挿通孔が設けられる。
【００５６】
回転接触盤３の周囲の平板状の円盤部には、等間隔に小径の接触盤固定孔２３１ｈが設けられ、この接触盤固定孔２３１ｈに挿通された接触盤固定具３１によって、ガード板２の下面に密着固定される。
【００５７】
回転接触盤３は、円盤状の中央部が山型錐状に盛り上がった形状をしており、この山型錐状部にて中央固定キャップ３Ｃを、中央シャフト１３の回転方向に対して逆回転可能に完全収容し、収容状態の側面視にて中央固定キャップ３Ｃが回転接触盤３よりも下方へ突出しないものとしている。すなわち、回転接触盤３は、山型錐状部にてガード板２から下方へ最も離れた接地頂部を有し、この山型錐状部の接地頂部が接地することで、外部と容易に接触して静止状態となりやすいものとしている。
【００５８】
また接地頂部は、ガード板２から所定距離以上離間して設けられ、必要最小限の刈り高さを確保することができるものとしている。回転盤固定具や山型円錐状部、さらに後述する突起部４はガード板２に固定されて一体となり、一体の相対逆回転体を構成する。相対逆回転体の一部が外部の被接触物（芝草、地面、障害物等）に接触したとき、相対逆回転機構３０によって中央シャフト１３と逆方向に相対回転し、ガード板２を含む相対逆回転体全体が非回転となる。
【００５９】
（突起部４）
ガード板２の回転刃１１への対向面に、板面から突出した一又は複数の上方突起部４１（実施例ではナベ頭ボルトの鍋状の頭部）が設けられ、この突起部４が回転刃１１とガード板２の間に干渉することで、回転刃１１とガード板２の接触を回避しうる。
【００６０】
また、ガード板２の回転刃１１への対向面とは逆の相対面に、板面から突出した一又は複数の下方突起部４２（実施例ではナベ頭ボルトに螺合した袋ナットの半球状の袋部）が設けられ、この下方突起部４２が外部と接触することによって、ガード板２が静止状態となりうる。
【００６１】
これら突起部４は、ガード板２を貫通して両板面から突出した両面突起構造からなる。この両面突起構造は具体的には、ガード板２の周囲近傍に等間隔に設けられた突起部４固定孔を貫通するナベ頭ボルトと、ガード板２を挟むようにしてナベ頭ボルトの先端側に螺合される袋ナットとからなる。ナベ頭ボルトと袋ナットからなる両面突起構造はガード板２に対して相当割合以上の重量を有しており、両面突起構造が下方に向けられることでガード板２が僅かに撓む。これによって両面突起構造の上方突起部４１側が接地しやすくなるとともに、ガード板２と回転刃１１の間隔が大きくなり、挟まれかけたり絡まれかけた芝草が容易に排出される。
【００６２】
実施例１の刈払い機は、端部から延伸したアームやその安全カバー等を備えることがなく、軽量であり、回転刃１１の全周にわたって切断能力を確保し、回転刃１１の全周にわたって運転者の視界を良好なものとしている。このため、手前側の刈払いを容易に行うことができる。
【実施例２】
【００６３】
実施例２の相対逆回転機構３０は、図７，図８に示すように、中央固定キャップ３Ｃの周囲に沿って設けられた複数の遊星ギヤ３０２Ｇを具備し、この遊星ギヤ３０２Ｇによって中央固定キャップ３Ｃが、回転接触盤３内に中央シャフト１３軸周りに自由回動可能に収容される。
【００６４】
より具体的には、駆動機構１２の中央シャフト１３の先端の周囲に、中央シャフト１３と同軸回転する外歯ギヤ３０１Ｇを設け、この外歯ギヤ３０１Ｇの周囲の外歯にそれぞれ噛合する３つの遊星ギヤ３０２Ｇを介して、中央シャフト１３と同軸の内歯ギヤ３０３Ｇを中央固定キャップ３Ｃ内に固定することでも成立する（図７，８）。ここで中央固定キャップ３Ｃは、接触盤固定具３１によって回転接触盤３の下方へ突出するように固定される。回転接触盤３は厚手の円盤状をしており、ガード板２の下面に固定された状態で、接触盤固定具３１の頭部及び中央固定キャップ３Ｃが、回転接触盤３よりも下方に突出する。ガード板２、回転接触盤３、接触盤固定具３１、中央固定キャップ３Ｃ及び突起部４１が一体的に構成されることで、回転刃１１に対して一体的に相対逆回転しうる相対逆回転体となる。
【００６５】
中央シャフト１３が高速回転したとき、突出した接触盤固定具３１の頭部や中央固定キャップ３Ｃが地面と接することで、内歯ギヤ３０３Ｇを静止させる方向に外力が加わり、遊星ギヤ３０２Ｇが回転駆動する。内歯ギヤ３０３Ｇ及びその周囲の一体的な相対逆回転体は、その一部が外部に接触して静止状態となったとき、高速で回転する中央シャフト１３およびこれと同軸回転する外歯ギヤ３０１Ｇに対して、逆方向に同回転数で相対回転している。回転刃１１は非回転の把持棒に対して回転し、相対逆回転体が回転刃１１に対して反対方向へ回転するため、相対逆回転体は回転せずに回転刃１１のみが回転することになる。
【００６６】
ここで、回転カップを非回転にさせるべく回転カップを芝面に接触させたとき、遊星ギヤ３０２Ｇのギヤ抵抗力によって、回転刃１１を走行させる走行力が働く。すなわち、回転カップが地面と接することで、接した点の接線方向に走行力が働き、切り込み動力に使える。刃物の傾きにより接触点が変わり、走行する向きが変わる。また、接触点と刃物までに高さ方向に距離があるため、ある程度刈高さを維持できる利点がある。これは、本考案の刈払い機用刈刃ガードをつけることで、支える重さが増すことと、切削抵抗が増えるという課題を解決するものである。特記しないその他の構成は、実施例１と同様である。
【００６７】
（本考案の刈り刃ガードの作用）
本考案の刈刃ガードのガード板２によって、回転刃１１の刃面下方に沿う部分をガードする。高速で回転する回転刃１１が硬い地面や障害物等の被接触物に直接接触することがなく、回転刃１１及び／或いは被接触物を傷つけたり破損させたりすることがない。
【００６８】
また、ガード板２は回転接触盤３の相対逆回転機構３０を介して中央シャフト１３に固定されており、ガード板２や回転接触盤３や突起部４を一体的に含む相対逆回転体は、草の表面や地面等に接触しやすい状態となっている。このため、ガード板２や回転接触盤３や接触盤固定具３１や突起部４からなる相対逆回転体の一部が被接触物と接触すると、接触時の反力によって相対逆回転体が中央シャフト１３に対して相対回転し、容易に静止状態となる。すなわちガード板２や回転接触盤３や突起部４を一体的に含む相対逆回転体は、草の表面や地面等に接触することで、回転シャフトに対して回転刃１１の回転方向と逆方向へ相対回転し、回転が止まった静止状態あるいは完全には止まらないものの緩い速度で回転する緩速回転状態となる。これによって、高速で回転する回転刃１１の使用の安全性を確保できる。
【００６９】
また、中央のカップによって、回転刃１１がカップの高さ分より大きく下方に位置することが無い。すなわち、中央のカップが刈り高のガイドの役目を果たし、一定の刈り高さで刈ることができる。
【００７０】
また、ガード板２は草の表面と接触しないときには回転刃１１と共に回転する。このため、ガード板２と回転刃１１の間にかみこんだ草が遠心力によって排出される。
【００７１】
その他、本考案は上述した実施例の構成に限定されず、本考案の趣旨を逸脱しない範囲で種々の変形、組み合わせが可能である。
【産業上の利用可能性】
【００７２】
本発明の刈払い機用刈刃ガード及びこれを備えた刈払い機は、芝刈りの範囲や刈高の精度など、必要な任意の状況に応じた芝の刈払いとして用いることができるほか、任意の芝刈り機やコンバイン等の他の回転場を有する農業機械に応用することができる。
【図面の簡単な説明】
【００７３】
【図１】本考案の実施例１の刈払い機用刈刃ガードを取り付けた刈払い機の、斜め下方からの斜視部分説明図である。
【図２】図１に示す刈払い機の先端部分の断面構造を示す側面視一部破断説明図である。
【図３】図１に示す刈払い機の、斜め下方からの斜視分解説明図である。
【図４】本考案の実施例１の刈払い機用刈刃ガードの平面図である。
【図５】図５に示す実施例１の刈払い機用刈刃ガードの底面図である。
【図６】図５に示す実施例１の刈払い機用刈刃ガードのＡ−Ａ断面図である。
【図７】本考案の実施例２の刈払い機用刈刃ガードを取り付けた刈払い機の、先端部分の断面構造を示す側面視一部破断説明図である。
【図８】図７に示す刈払い機の先端部分の断面構造等を示す底面視一部破断説明図である。
【符号の説明】
【００７４】
１０  把持棒
１１  回転刃
１１Ｂ  刃部
１１ｈ  回転面孔
１２  駆動機構
１２Ｃ  カップリング
１２Ｐ  パッキン
１３  中央シャフト
１３Ｓ  中央スペーサー
２  ガード板
２１  櫛部
２１Ｕ  櫛溝
２２  ガード板開口部
２３ｈ  中央固定孔
２３１ｈ  接触盤固定孔
２４１ｈ  突起部固定孔
３  回転接触盤
３０  相対逆回転機構
３０Ｂ  ベアリング
３０１Ｇ  外歯ギヤ
３０２Ｇ  遊星ギヤ
３０３Ｇ  内歯ギヤ
３１  接触盤固定具
３２  接触盤固定板
３Ｃ  中央固定キャップ
３Ｎ  中央固定ナット
４  突起部
４１  ナベ頭ボルト
４２  袋ナット
【図１】
0003136543.tif 000003
【図２】
0003136543.tif 000004
【図３】
0003136543.tif 000005
【図４】
0003136543.tif 000006
【図５】
0003136543.tif 000007
【図６】
0003136543.tif 000008
【図７】
0003136543.tif 000009
【図８】
0003136543.tif 000010